【手続補正書】
【提出日】平成17年8月4日(2005.8.4)
【手続補正１】
【補正対象書類名】特許請求の範囲
【補正対象項目名】全文
【補正方法】変更
【補正の内容】
【特許請求の範囲】
【請求項１】
骨組織に設けた穿孔（５０）内へ挿入するスクリュウ式インプラント(１)であって、海綿質部分(３)と皮質部分(２)とを有し、皮質部分(２)は穿孔（５０）内に取り付けるときに皮質部分(２)の骨組織との係合が皮質骨組織層（５２）にほぼ限定されるような軸線方向長さを有し、皮質部分(２)が、該係合を達成できるようにねじを切った外面を備えており、ねじ込みトルクの作用下に該穿孔にねじ込むときに、皮質部分(２)が、皮質骨組織のみに、基本的にインプラントの半径方向への圧縮量が増大するように作用し、その結果、インプラント(１)をねじ込むのに必要なねじ込みトルクの明らかな増大を生じさせるような外側デザインを有し、この増大が、インプラント(１)が穿孔内の所定位置またはほぼ所定位置にあることを示す指標として有用である上記のスクリュウ式インプラント(１)。
【請求項２】
骨組織に設けた穿孔（５０）内へ挿入するスクリュウ式インプラント(１)であって、外面を備える海綿質部分(３)と、皮質部分(２)とを有し、この皮質部分(２)が、穿孔（５０）内に取り付けるときに、皮質部分(２)の骨組織との係合が、皮質骨組織層（５２）にほぼ限定されるような軸線方向長さを有し、皮質部分(２)が、該係合を達成するためにねじ切りした円錐形の外面を備え、また、該円錐形の外面が海綿質部分(３)の外面に対して５度未満の非ゼロ角（α）をなすような円錐テーパを有する上記のスクリュウ式インプラント(１)。
【請求項３】
骨組織に設けた円筒形の穿孔（５０）へ挿入するほぼ円筒形のスクリュウ式インプラント(１)であって、円筒形外面を備える海綿質部分(３)と、皮質部分（２）とを有し、この皮質部分（２）が、穿孔（５０）内に取り付けるときに、皮質部分(２)の骨組織との係合が皮質骨組織層（５２）にほぼ限定されるような軸線方向長さを有し、皮質部分(２)が、該係合を達成できるようにねじを切った円錐形の外面を備えており、また、該円錐形の外面が海綿質部分(３)の円筒形の外面に対して５度未満の非ゼロ角（α）をなすような円錐テーパを有する上記のスクリュウ式インプラント(１)。
【請求項４】
骨組織に設けた穿孔（５０）内へ挿入するスクリュウ式インプラント(１)であって、下方円筒形海綿質部分（３’）と、円錐形外面を備える上方円錐形海綿質部分（３”）とを有する海綿質部分(３)を有し、さらに、皮質部分(２)を備えており、この皮質部分（２）
が、穿孔（５０）内に取り付けるときに、皮質部分(２)の骨組織との係合が皮質骨組織層（５２）にほぼ限定されるような軸線方向長さを有し、皮質部分(２)が、該係合を達成できるようにねじを切った円錐形の外面を備え、また、該円錐形の外面が上方円錐形海綿質部分(３”）の外面と５度未満の非ゼロ角（α）をなすような円錐テーパを有する上記の
スクリュウ式インプラント(１)。
【請求項５】
インプラント(１)の最大直径部が皮質部分(２)に位置する、請求項１〜４のいずれかに記載のスクリュウ式インプラント(１)。
【請求項６】
皮質部分(２)が截頭正円錐体の形状を有する、請求項１〜５のいずれかに記載のスクリュウ式インプラント(１)。
【請求項７】
角度（α）が０.５〜５度である、請求項１〜６のいずれかに記載のスクリュウ式イン
プラント(１)。
【請求項８】
角度（α）が３度未満である、請求項１〜７のいずれかに記載のスクリュウ式インプラント(１)。
【請求項９】
角度（α）が０.５〜３度である、請求項１〜８のいずれかに記載のスクリュウ式イン
プラント(１)。
【請求項１０】
角度(α)が１〜２度である、請求項１〜９のいずれかに記載のスクリュウ式インプラント(１)。
【請求項１１】
皮質部分(２)の軸線方向長さが３ｍｍに等しい、請求項１〜１０のいずれかに記載のスクリュウ式インプラント(１)。
【請求項１２】
皮質部分(２)の軸線方向長さが３ｍｍ未満である、請求項１〜１０のいずれかに記載のスクリュウ式インプラント(１)。
【請求項１３】
皮質部分(２)の軸線方向長さが０.５〜１.５ｍｍである、請求項１〜１０のいずれかに記載のスクリュウ式インプラント。
【請求項１４】
海綿質部分（３）が、皮質部分(２)のねじ付きの外面に向かって徐々に変化し合併するねじ付きの外面を備え、両方のねじ付き外面が、穿孔の共通のねじ付き内面に螺合できるようになっている、請求項１〜１３のいずれかに記載のスクリュウ式インプラント(１)。
【請求項１５】
両方のねじ付き外面が同じリードを備えている、請求項１４に記載のスクリュウ式インプラント(１)。
【請求項１６】
少なくとも第１のねじ切り部(１１)を備えている、請求項１〜１５のいずれかに記載のスクリュウ式インプラント(１)。
【請求項１７】
両方のねじ付き表面が前記第１のねじ切り部(１１)を備えている、請求項１５または１４と組み合わせた請求項１６に記載のスクリュウ式インプラント(１)。
【請求項１８】
皮質部分(２)の全軸線方向長さが、前記第１のねじ切り部(１１)を備えている、請求項１６または１７に記載のスクリュウ式インプラント(１)。
【請求項１９】
ねじ切り部(１１)が単条ねじ切り部である、請求項１６〜１８のいずれかに記載のスク
リュウ式インプラント(１)。
【請求項２０】
ねじ切り部(１１)が多条ねじ切り部である、請求項１６〜１８のいずれかに記載のスクリュウ式インプラント(１)。
【請求項２１】
ねじ切り部(１１)がねじ山からなる、請求項１６〜２０のいずれかに記載のスクリュウ式インプラント(１)。
【請求項２２】
ねじ切り部(１１)が、０.２０ｍｍ以下のねじ山高さを構成している、請求項１６〜２
１のいずれかに記載のスクリュウ式インプラント(１)。
【請求項２３】
ねじ切り部(１１)が、０.０２〜０.１５ｍｍのねじ山高さを構成している、請求項１６〜２２のいずれかに記載のスクリュウ式インプラント(１)。
【請求項２４】
ねじ切り部(１１)が丸みのある外側デザインを有する、請求項１６〜２３のいずれかに記載のスクリュウ式インプラント(１)。
【請求項２５】
ねじ切り部(１１)が対称形である、請求項１６〜２４のいずれかに記載のスクリュ
ウ式インプラント(１)。
【請求項２６】
さらに第２のねじ切り部(１２)を備える、請求項１６〜２５のいずれかに記載のスクリュウ式インプラント(１)。
【請求項２７】
両方のねじ切り部（１１、１２）が共通の雌ねじ山と螺合できるように第１のねじ切り部(１１)および第２のねじ切り部(１２)が互いに一つに結合している、請求項２６に記載のスクリュウ式インプラント(１)。
【請求項２８】
第１、第２のねじ切り部（１１、１２）が、同じリードを備えている、請求項２６または２７に記載のスクリュウ式インプラント(１)。
【請求項２９】
第１、第２のねじ切り部（１１、１２）間の横方向境界面（Ｐ２）が、皮質部分(２)と海綿質部分(３)との間の横方向境界面（Ｐ１）の下に設けてある、請求項２６〜２８のいずれかに記載のスクリュウ式インプラント(１)。
【請求項３０】
第１、第２のねじ切り部（１１、１２）間の横方向境界面（Ｐ２）が、皮質部分(２)と海綿質部分(３)との間の横方向境界面（Ｐ１）と一致している、請求項２６〜２８のいずれかに記載のスクリュウ式インプラント(１)。
【請求項３１】
皮質部分(２)が上部構造(２０)を保持するようになっている、請求項１〜３０のいずれかに記載のスクリュウ式インプラント(１)。
【請求項３２】
盲孔（７)が、上部構造(２０)を保持するように皮質部分(２)の最上方端からインプラ
ント(１)内に延びている、請求項３１に記載のスクリュウ式インプラント(１)。
【請求項３３】
盲孔(７)に内ねじが切ってある、請求項３２に記載のスクリュウ式インプラント(１)。
【請求項３４】
インプラント(１)が、皮質部分(２)の頂部に設けた上部構造と一体に形成されており、インプラントがその移植状態にあるとき、上部構造が骨組織から突き出る、請求項１〜３０のいずれかに記載のスクリュウ式インプラント(１)。
【請求項３５】
インプラント(１)が歯科用インプラントである、請求項１〜３４のいずれかに記載のスクリュウ式インプラント(１)。
【請求項３６】
皮質部分(２)の軸線方向長さが、海綿質部分(３)の軸線方向長さに関して比較的短くなっている、請求項１〜３５のいずれかに記載のスクリュウ式インプラント(１)。
【請求項３７】
穿孔（５０）にねじ込んでいるとき、皮質部分(２)が、主として皮質部分(２)の半径方向に僅かに皮質骨組織を圧縮するように作用する、請求項１〜３６のいずれかに記載のスクリュウ式インプラント(１)。
【請求項３８】
骨組織に設けた穿孔（５０）内へのスクリュウ式インプラント(１)の挿入を容易にするための配置であり、海綿質部分(３)を有するスクリュウ式インプラント(１)と、このインプラント(１)の外側形状にほぼ一致する形状を有する穿孔（５０）とを含み、インプラント（１）が皮質部分(２)を備え、この皮質部分(２)が、穿孔（５０）内に取り付けるときに、皮質部分(２)の骨組織との係合が皮質骨組織層（５２）にほぼ限定されるような軸線方向長さを有し、皮質部分(２)が、該係合を達成するためにねじを切った外面を備え、また、ねじ込みトルクの作用の下に穿孔（５０）にねじ込んでいるときに皮質部分(２)が、インプラント(１)の基本的に半径方向における皮質骨組織の圧縮量を増大させるように作用するような外側デザインを有し、その結果、インプラント(１)をねじ込むのに必要なねじ込みトルクの明白な増大を生じさせ、この増大が、インプラント(１)が穿孔（５０）内の所定位置またはほぼ所定位置にある指標として有用である上記の配置。
【請求項３９】
骨組織に設けた穿孔（５０）へのスクリュウ式インプラント(１)の挿入を容易にするための配置であって、海綿質部分(３)を有するスクリュウ式インプラント(１)と、インプラント(１)の形状にほぼ一致する形状を有する穿孔（５０）とを含み、インプラント（１）が、皮質部分(２)を備え、この皮質部分(２)が、穿孔（５０）内に取り付けるときに、皮質部分(２)の骨組織との係合が皮質骨組織層（５２）にほぼ限定されるような軸線方向長さを有し、皮質部分(２)が、該係合を達成できるようにねじを切った円錐形の外面を備え、また、該円錐形の外面が海綿質部分(３)の外面と５度未満の非ゼロ角（α）をなすような円錐テーパを有する上記の配置。
【請求項４０】
骨組織に設けた穿孔（５０）へのスクリュウ式インプラント(１)の挿入を容易にするための配置であって、円筒形外面を備える海綿質部分(３)を有するスクリュウ式インプラントと、インプラントの形状にほぼ一致する形状を有する穿孔（５０）とを含み、前記インプラント（１）が、皮質部分(２)を備え、この皮質部分(２)が、穿孔（５０）内に取り付けるときに、皮質部分(２)の骨組織との係合が皮質骨組織層（５２）にほぼ限定されるような軸線方向長さを有し、皮質部分(２)が、該係合を達成できるようにねじを切った円錐形外面を備え、また、該円錐形の外面が海綿質部分(３)の円筒形外面と５度未満の角（α）をなすような僅かな円錐テーパを有する上記の配置。
【請求項４１】
骨組織に設けた穿孔へのスクリュウ式インプラント(１)の挿入を容易にするための配置であって、下方円筒形海綿質部分（３’）と、円錐形外面を備える上方円錐形海綿質部分(３)とを有するスクリュウ式インプラント(１)と、インプラントの形状にほぼ一致する形状を有する穿孔（５０）とを含み、インプラント（１）が、皮質部分(２)を備え、この皮質部分(２)が、穿孔（５０）内に取り付けるときに、皮質部分(２)の骨組織との係合が皮質骨組織層（５２）にほぼ限定されるような軸線方向長さを有し、皮質部分(２)が、該係合を達成できるようにねじを切った円錐形の外面を備え、該円錐形外面が、海綿質部分(
３)の円錐形部分の外面と５度未満の非ゼロ角（α）をなすような円錐テーパを有する上
記の配置。
【請求項４２】
皮質部分(２)の軸線方向長さが、海綿質部分(３)の軸線方向長さに関して比較的短くなっている、請求項３８〜４１のいずれかに記載の配置。
【請求項４３】
穿孔（５０）にねじ込んでいるとき、皮質部分(２)が、基本的に皮質部分(２)の半径方向に僅かに皮質骨組織を圧縮するように作用する、請求項３８〜４２のいずれかに記載の配置。